(57)【要約】  空気浄化用の浄化装置およびそれを備える空気浄化器を提供し、空気浄化用の浄化装置（１００）は、ハウジング（１）と、浄化アセンブリと、給水管（４）と、遮断アセンブリと、モータ（５）とを備え、ハウジング（１）は、給気口（１１）および排気口（１２）を備え、ハウジング（１）内では、給気口（１１）および排気口（１２）と連通するキャビティ（１０）が限定されており、浄化アセンブリは、キャビティ（１０）内に回転可能に設けられ、且つ給気口（１１）と排気口（１２）の間に位置し、遮断アセンブリは、浄化アセンブリの下流側に設けられ、モータ（５）は、浄化アセンブリおよび遮断アセンブリが回転するように駆動するように構成される。
2021529931.tif 000002
【特許請求の範囲】
【請求項１】
空気浄化用の浄化装置であって、
給気口および排気口を備えるハウジングであって、前記ハウジング内に前記給気口および前記排気口と連通するキャビティが限定されているハウジングと、
前記キャビティ内に回転可能に設けられ、且つ前記給気口と前記排気口の間に配置される浄化アセンブリであって、前記浄化アセンブリは、第１回転ドラムおよび第１回転ディスクを備え、前記第１回転ドラムは、前記ハウジングの側壁と間隔を置いて配置され、前記第１回転ドラムの側壁の円周方向に回って第１メッシュが設けられ、前記第１回転ディスクは前記第１回転ドラムの下流側に接続され、且つ前記第１回転ディスクの半径方向における、前記第１回転ドラムと前記ハウジングの間の部分には第２メッシュが設けられている、浄化アセンブリと、
給水端および排水端を備える給水管であって、前記排水端には円周方向に分布された複数の噴水孔が設けられ、前記排水端は、前記第１回転ドラム内に伸びている、給水管と、
前記浄化アセンブリの下流側に回転可能に設けられ、第２回転ドラムおよび第２回転ディスクを備える遮断アセンブリであって、前記第２回転ドラムの外周壁は円筒面であり、前記第２回転ドラムは、前記ハウジングの側壁と間隔を置いて配置され、前記第２回転ディスクは前記第２回転ドラムの下流側に接続され、且つ前記第２回転ディスクの半径方向における、前記第２回転ドラムと前記ハウジングの間の部分には、少なくとも第３メッシュが設けられている、遮断アセンブリと、
前記浄化アセンブリおよび前記遮断アセンブリが回転するように駆動するように構成されるモータと、を備えることを特徴とする、空気浄化用の浄化装置。
【請求項２】
前記モータは、前記浄化アセンブリおよび前記遮断アセンブリが同期的に回転するように駆動するために、前記遮断アセンブリの上に設けられることを特徴とする、
請求項１に記載の空気浄化用の浄化装置。
【請求項３】
前記給水管の給水端は前記ハウジングの下部に位置し、前記排水端は前記給水端より高く配置されることを特徴とする、
請求項１に記載の空気浄化用の浄化装置。
【請求項４】
前記第１回転ディスクは環状ディスクに形成され、前記環状ディスクの内側壁は、前記第１回転ドラムの外側壁に接続されることを特徴とする、
請求項１に記載の空気浄化用の浄化装置。
【請求項５】
前記第１回転ディスクは円形ディスクに形成され、前記第１回転ドラムは、上端が開放された中空構造に形成され、前記第１回転ディスクは前記第１回転ドラムの上端を閉鎖することを特徴とする、
請求項１に記載の空気浄化用の浄化装置。
【請求項６】
前記第１回転ドラムの上端および下端は閉鎖構造に形成され、前記第１回転ドラムの底壁には、前記給水管が通過するのに適した開口部が設けられていることを特徴とする、
請求項１に記載の空気浄化用の浄化装置。
【請求項７】
前記浄化装置は、受水トレイをさらに備え、前記受水トレイは前記ハウジングの底部に設けられ、前記給水端は前記受水トレイ内に位置することを特徴とする、
請求項１に記載の空気浄化用の浄化装置。
【請求項８】
前記ハウジングは円筒形に形成され、前記第１回転ドラムの半径サイズは、前記ハウジングの半径サイズの０．２〜０．７倍であることを特徴とする、
請求項１に記載の空気浄化用の浄化装置。
【請求項９】
前記第１回転ドラムの軸方向の高さのサイズは前記ハウジングの半径サイズの０．１〜０．８倍であることを特徴とする、
請求項８に記載の空気浄化用の浄化装置。
【請求項１０】
前記第１回転ドラムの側壁はワイヤーメッシュ構造に形成され、且つ前記ワイヤーメッシュ構造のメッシュ数は２０〜１００であることを特徴とする、
請求項１に記載の空気浄化用の浄化装置。
【請求項１１】
前記第１回転ドラムの側壁の孔隙率は０．３〜０．７であることを特徴とする、
請求項１に記載の空気浄化用の浄化装置。
【請求項１２】
前記排気口は前記給気口より高く配置され、前記浄化アセンブリは複数の浄化アセンブリを備え、複数の前記浄化アセンブリは上下方向に順序に積み重ねられ、前記遮断アセンブリは、最上部の前記浄化アセンブリの上端に設けられることを特徴とする、
請求項１ないし１１のいずれか一項に記載の空気浄化用の浄化装置。
【請求項１３】
前記遮断アセンブリは複数の遮断アセンブリを備え、複数の前記遮断アセンブリは上下方向に順序に積み重ねられ、複数の前記遮断アセンブリの全ては、複数の前記浄化アセンブリの上に設けられることを特徴とする、
請求項１２に記載の空気浄化用の浄化装置。
【請求項１４】
前記排気口は前記給気口より高く配置され、前記浄化アセンブリは複数の浄化アセンブリを備え、前記遮断アセンブリは複数の遮断アセンブリを備え、複数の前記遮断アセンブリおよび複数の前記浄化アセンブリは上下方向にお互いに積み重ねられ、前記遮断アセンブリの少なくとも１つは、前記排気口に最も近い位置に配置されることを特徴とする、
請求項１ないし１１のいずれか一項に記載の空気浄化用の浄化装置。
【請求項１５】
前記給水管は、複数の前記浄化アセンブリを順序に通過し、前記給水管には、複数の前記第１回転ドラムに対応する前記噴水孔が設けられていることを特徴とする、
請求項１２に記載の空気浄化用の浄化装置。
【請求項１６】
前記給水管は複数であり、複数の前記給水管の前記排水端は、それぞれ、複数の前記浄化アセンブリの前記第１回転ドラム内に伸びていることを特徴とする、
請求項１２に記載の空気浄化用の浄化装置。
【請求項１７】
空気浄化器であって、
請求項１ないし１６のいずれか一項に記載の空気浄化用の浄化装置を備えることを特徴とする、空気浄化器。
【発明の詳細な説明】
【技術分野】
【０００１】
本願は、２０１８年０８月３１日に中国特許局に提出された、出願番号がＣＮ２０１８１１０１３３３７．０である中国特許出願に基づいて提出されるものであり、当該中国特許出願の優先権を主張し、当該中国特許出願の全ての内容が参考として本願に組み込まれる。
【０００２】
本発明は、家電機器の分野に関し、特に、空気浄化用の浄化装置およびそれを備える空気浄化器に関する。
【背景技術】
【０００３】
空気浄化器は、空気を浄化して空気の質を向上させるために使用され、関連技術の空気浄化器は、ほとんど浄化装置を使用して空気を直接に浄化する。例えば、浄化網または吸着装置は、空気中の粉塵を浄化して吸着することができるが、構造が複雑で浄化効果も悪い。
【発明の概要】
【発明が解決しようとする課題】
【０００４】
本発明は、関連技術に存在する技術的問題の少なくとも１つを解決することを目的とする。
【０００５】
そのため、本発明の１つの目的は、構造が簡単で、浄化効果は良く、且つ圧力損失も低い、空気浄化用の浄化装置を提供することである。
【０００６】
本発明は、前記空気浄化用の浄化装置を備える空気浄化器をさらに提供する。
【課題を解決するための手段】
【０００７】
本発明の第１態様の実施例に係る空気浄化用の浄化装置は、ハウジングと、浄化アセンブリと、給水管と、遮断アセンブリと、モータとを備え、ハウジングは、給気口および排気口を備え、ハウジング内では、給気口および排気口と連通するキャビティが限定されており、浄化アセンブリは、キャビティ内に回転可能に設けられ、且つ給気口と排気口の間に位置し、浄化アセンブリは、第１回転ドラムおよび第１回転ディスクを備え、第１回転ドラムは、ハウジングの側壁と間隔を置いて配置され、第１回転ドラムの側壁の円周方向に回って第１メッシュが設けられ、第１回転ディスクは第１回転ドラムの下流側に接続され、且つ第１回転ディスクの半径方向における、第１回転ドラムとハウジングの間の部分には第２メッシュが設けられ、給水管は、給水端および排水端を備え、排水端には円周方向に分布された複数の噴水孔が設けられ、排水端は、第１回転ドラム内に伸びている。ここで、遮断アセンブリは、浄化アセンブリの下流側に回転可能に設けられ、遮断アセンブリは、第２回転ドラムおよび第２回転ディスクを備え、第２回転ドラムの外周壁は円筒面であり、第２回転ドラムは、ハウジングの側壁と間隔を置いて配置され、第２回転ディスクは、第２回転ドラムの下流側に設けられ、且つ第２回転ディスクの半径方向における、第２回転ドラムとハウジングの間の部分には、少なくとも第３メッシュが設けられ、モータは、浄化アセンブリおよび遮断アセンブリが回転するように駆動するように構成される。
【０００８】
本発明の実施例による空気浄化用の浄化装置は、空気に対する効率的な浄化を実現することができ、且つ簡単な構造、良好な浄化効果および低い圧力損失を有する。
【０００９】
さらに、本発明に係る空気浄化用の浄化装置は、以下の追加の技術的特徴を有し得る。
【００１０】
本発明のいくつかの実施例において、モータは、浄化アセンブリおよび遮断アセンブリが同期に回転するように駆動するために、遮断アセンブリの上に設けられる。
【００１１】
本発明のいくつかの実施例において、給水管の給水端はハウジングの下部に位置し、排水端は給水端より高く配置される。
【００１２】
本発明のいくつかの実施例において、第１回転ディスクは環状ディスクに形成され、環状ディスクの内側壁は、第１回転ドラムの外側壁に接続される。
【００１３】
本発明のいくつかの実施例において、第１回転ディスクは円形ディスクに形成され、第１回転ドラムは、上端が開放された中空構造に形成され、第１回転ディスクは第１回転ドラムの上端を閉鎖する。
【００１４】
本発明のいくつかの実施例において、第１回転ドラムの上端および下端は閉鎖構造に形成され、第１回転ドラムの底壁には、給水管が通過するのに適した開口部が設けられている。
【００１５】
本発明のいくつかの実施例において、空気浄化用の浄化装置は、さらに、受水トレイを備え、受水トレイはハウジングの底部に設けられ、給水端は受水トレイ内に位置する。
【００１６】
本発明のいくつかの実施例において、ハウジングは円筒形に形成され、第１回転ドラムの半径サイズは、ハウジングの半径サイズの０．２〜０．７倍である。
【００１７】
本発明のいくつかの例において、第１回転ドラムの軸方向の高さのサイズはハウジングの半径サイズの０．１〜０．８倍である。
【００１８】
本発明のいくつかの実施例において、第１回転ドラムの側壁はワイヤーメッシュ構造に形成され、且つそのメッシュ数は２０〜１００である。
【００１９】
本発明のいくつかの実施例において、第１回転ドラムの側壁の孔隙率は０．３〜０．７である。
【００２０】
本発明のいくつかの実施例において、排気口は給気口より高く配置され、浄化アセンブリは複数の浄化アセンブリを備え、複数の浄化アセンブリは上下方向に順序に積み重ねられ、遮断アセンブリは、最上部の浄化アセンブリの上端に設けられる。
【００２１】
本発明のいくつかの例において、遮断アセンブリは複数の遮断アセンブリを備え、複数の遮断アセンブリは上下方向に順序に積み重ねられ、複数の遮断アセンブリの全ては、複数の浄化アセンブリの上に設けられる。
【００２２】
本発明のいくつかの実施例において、排気口は給気口より高く配置され、浄化アセンブリは複数の浄化アセンブリを備え、遮断アセンブリは複数の遮断アセンブリを備え、複数の遮断アセンブリおよび複数の浄化アセンブリは上下方向にお互いに積み重ねられ、遮断アセンブリの少なくとも１つは、排気口に最も近い位置に配置される。
【００２３】
本発明のいくつかの実施例において、給水管は、複数の浄化アセンブリを順序に通過し、給水管には、複数の第１回転ドラムに対応する噴水孔が設けられている。
【００２４】
本発明のいくつかの実施例において、給水管は複数であり、複数の給水管の排水端は、それぞれ、複数の浄化アセンブリの第１回転ドラム内に伸びている。
【００２５】
本発明は、上記の実施例の空気浄化用の浄化装置を備える空気浄化器をさらに提供する。
【００２６】
本発明の第２態様の実施例に係る空気浄化器は、上記の実施例の空気浄化用の浄化装置を配置することにより、浄化効果を向上させ、空気浄化器によって浄化された空気をよりきれいにすることができる。
【００２７】
本発明の追加の態様および利点は、以下の説明において部分的に述べられ、一部は、以下の説明から明らかになるか、本発明の実施を通じて理解されるであろう。
【図面の簡単な説明】
【００２８】
本発明の上記および／または追加した態様および利点は、以下の図面及び実施例の説明から明らかになり、理解しやすくなる。
【図１】本発明の実施例に係る空気浄化用の浄化装置の概略的な構造図である。
【図２】図１の線Ａ−Ａに沿った断面図である。
【図３】本発明の実施例に係る空気浄化用の浄化装置の第１回転ドラム、第１回転ディスクおよび給水管の概略的な構造図である。
【図４】本発明の別の実施例に係る空気浄化用の浄化装置の断面図である。
【図５】本発明のさらに別の実施例に係る空気浄化用の浄化装置の断面図である。
【図６】本発明の実施例に係る空気浄化用の浄化装置の第１回転ディスクの概略的な構造図である。
【図７】本発明の別の実施例に係る空気浄化用の浄化装置の第１回転ディスクの概略的な構造図である。
【発明を実施するための形態】
【００２９】
以下、本発明の実施例について詳細に説明し、前記実施例の例は図面に示され、ここで、全文を通じて同じまたは類似の参照番号は、同じまたは類似の要素や同じまたは類似の機能を有する要素を示す。図面を参照して説明する以下の実施例は例示的なものであり、本発明を解釈するためにのみ使用され、本発明への限定として理解するべきではない。
【００３０】
以下、図１〜図７を参照して、本発明の実施例に係る空気浄化用の浄化装置１００を説明する。
【００３１】
図１〜図５に示されたように、本発明の実施例に係る空気浄化用の浄化装置１００は、ハウジング１と、浄化アセンブリと、給水管４と、遮断アセンブリと、モータ５とを備える。モータ５は、浄化アセンブリと遮断アセンブリの回転を駆動するように構成され、ハウジング１は給気口１１および排気口１２を備え、ハウジング１内では、給気口１１および排気口１２と連通するキャビティ１０が限定されている。このようにして、空気は、給気口１１からハウジング１に入り、その後、キャビティ１０を経由して浄化された後に排気口１２から排出される。
【００３２】
具体的に、浄化アセンブリはキャビティ１０内に回転可能に設けられ、且つ給気口１１と排気口１２の間に位置し、浄化アセンブリは第１回転ドラム２および第１回転ディスク３を備え、第１回転ドラム２とハウジング１の側壁は間隔を置いて配置され、言い換えれば、第１回転ドラム２はキャビティ１０内で高速で回転することができ、第１回転ドラム２はキャビティ１０の内壁面から間隔を空けて空気を通過するのに適した第１間隔空間２３を形成し、且つ第１回転ドラム２は給気口１１と排気口１２の間に位置し、このように、給気口１１から入った空気は第１間隔空間２３を通過することができ、即ち、空気の流れ方向において、空気は、給気口１１、第１間隔空間２３および排気口１２を順序に通過することができる。
【００３３】
前記第１回転ドラム２の側壁の円周方向には第１メッシュ２１が設けられ、第１回転ディスク３は第１回転ドラム２の下流側に接続され、図２〜図５を参照すると、第１回転ディスク３は、第１回転ドラム２の上に回転可能に設けられる。第１回転ディスク３の半径方向における、第１回転ドラム２と前記ハウジング１の間の部分には第２メッシュが設けられ、即ち、第１回転ディスク３の外径サイズは第１回転ドラム２の外径サイズより大きく、第１回転ディスク３の軸方向において、第１回転ディスク３と第１間隔空間２３に対応する部分には複数の第２メッシュ３１が設けられ、空気は第２メッシュ３１を通って下流に流れることができる。
【００３４】
空気の流れ方向において、空気が最初に経由する位置が上流であり、その後に経由する位置が下流であり、上流および下流は位置関係を示すためにのみ使用されることに留意されたい。下流側は、構造物で空気が後に経由する位置であり、例えば、第１回転ディスク３は第１回転ドラム２の下流側に接続され、即ち、空気の流れ方向において、第１回転ディスク３は、第１回転ドラム２の空気が後に経由する側に設けられ、例えば、図１に示されたように、第１回転ディスク３は第１回転ドラム２の上に設けられる。
【００３５】
給水管４は給水端４１および排水端４２を備え、排水端４２には円周方向に分布された複数の噴水孔が設けられ、排水端４２は第１回転ドラム２内に伸びていている。ここで、給水管４は固定され、第１回転ドラム２は給水管４に対して高速で回転し、それにより水輸送を容易にする。もちろん、本発明はこれらに限定されず、給水管４はそれ自体の軸の周りを回転することもできる。
【００３６】
具体的に、給水管４の給水端４１は水源と連通し、排水端４２の円周方向に分布された複数の噴水孔を通して水を給水管４から第１回転ドラム２内に噴霧することができ、第１回転ドラム２は高速で回転することにより、第１回転ドラム２内に噴霧された水が第１回転ドラム２の内壁の液膜に広がる。遠心力の作用により、液膜は第１メッシュ２１を通過し、せん断力の作用により細水柱、水滴、水ミストの形に細断され、ここで、水を細水柱、水滴、水ミストの形に細断することにより、水と空気の接触面積を増加させ、水と空気が十分に混ぜ合わせるのに有益であるため、水による空気中の粉塵などの不純物を浄化することに有益である。
【００３７】
説明の便宜上、以下では、主に、前記細水柱、水滴または水ミストのうちの水滴を例として説明するが、これは本発明を限定するのもとして理解されるべきではない。
【００３８】
水滴が第１間隔空間２３内に入り、第１間隔空間２３を経由した空気に混ぜ合わせることができ、したがって、
【００３９】
一部の水滴が空気中の粉塵粒子を捕集し、粉塵粒子を連れて遠心運動することができ、ハウジング１の内壁面に投げて内壁面に沿って落下させることができ、ここで、一部の水滴は下流に流れ続け、第１回転ディスク３は第１間隔空間２３の下流に設けられ、空気が第１回転ディスク３を経由する時、空気中の残留水滴は第１回転ディスク３に接触するが、第１回転ディスク３が高速で回転するため、遠心力の作用により、水滴は、複数の第２メッシュ３１を備えた第１回転ディスク３上で薄い液膜に広げられるか、またはより微小な水滴に霧化されることができ、第２メッシュ３１を通過した空気との強い衝突が発生し、それにより、気液の接触面積をさらに増加させることができる同時に、広がる薄い液膜やより微小な水滴も、空気中に含まれる粉塵粒子をより効率的に捕捉する効果があるため、ほこり除去を強化する目的を達成することができる。さらに、空気が第１回転ディスク３を経由する時、第１回転ディスク３の回転は、空気の流れを駆動して、第１回転ディスク３を通過する空気に動力を提供することにより、浄化後の空気が排気口１２に向かって流れるようにすることができる。
【００４０】
遮断アセンブリは、浄化アセンブリの下流側に回転可能に設けられ、遮断アセンブリは第２回転ドラム６および第２回転ディスク７を備え、第２回転ドラム６の外周壁は円柱面に形成され、即ち第２回転ドラム６の外周壁は閉鎖した壁面に形成され、第２回転ドラム６の内部と第２回転ドラム６の外部は連通しない。例えば、第２回転ドラム６は、気密および水密の構造に形成される。第２回転ドラム６とハウジング１の側壁は間隔を置いて配置され、それにより、空気が第２回転ドラム６とハウジング１の間の第２間隔空間６１を通過することができるようにする。
【００４１】
具体的に、第２回転ドラム６は第１回転ディスク３の下流に位置し、第２回転ドラム６とハウジング１の間には第２間隔空間６１が形成され、第２間隔空間６１は空気が経由するのに適され、したがって、第１回転ディスク３を通して浄化された空気は第２間隔空間６１に流れることができ、高速で回転する第２回転ドラム６を通過し、第２間隔空間６を経由する空気の遠心運動を増強することができ、それにより、空気中に混入した水滴抛をハウジング１の内壁面に飛散することに有益であるため、気液の分離を促進し、浄化効果を向上させる。
【００４２】
第２回転ディスク７の半径方向における、第２回転ドラム６とハウジング１の間の部分には、少なくとも、第３メッシュ７１が設けられ、即ち、第２回転ディスク７の軸方向において、少なくとも第２回転ディスク７と第２間隔空間６１に対応する部分に複数の第３メッシュ７１が設けられ、複数の第３メッシュ７１を介して空気中の水滴に対する更なる遮断および空気に対する更なる浄化を実現することができる。
【００４３】
第２回転ディスク７は第２回転ドラム６の下流側に接続され、第１回転ディスク３を介して浄化された空気が第２回転ディスク７に流れ、空気中の微小な水滴が第２回転ディスク７に接触する時、水滴は複数の第３メッシュ７１を備えた第２回転ディスク７上ので薄い液膜に広げられるか、より微小な水滴に霧化されることができ、薄い液膜または霧化されたより微小な水滴が、第３メッシュ７１を通過した空気と強く衝突し、それにより、気液の接触面積をさらに増加させることができる同時に、広がる薄い液膜や小さな水滴も、空気中に含まれる粉塵粒子をより効率的に捕捉する効果があり、それにより、粉塵除去をさらに強化することができる。同時に、第２回転ディスク７は空気が流れ続けるように駆動させ、流動性を改善することもできる。
【００４４】
したがって、本発明の実施例の空気浄化用の浄化装置１００によれば、第１回転ドラム２は高速で回転して、給水管４から第１回転ドラム２内に噴霧された水が、第１メッシュ２１を経由して水柱、水滴または水ミストの形に細断され、第１間隔空間２３へ流れる同時に、給気口１１から入った空気が第１間隔空間２３を通過するため、第１間隔空間２３内の水滴は経由する空気に混ぜ合わせられ、水滴は第１間隔空間２３を経由する空気中の粉塵粒子を効率的に捕捉することができので、空気中の粉塵粒子などを除去し、空気浄化効果を実現することができる。
【００４５】
水滴浄化後の空気は上に流れ続け、ここで、空気中には少量の水滴が含まれていて、回転ディスク３を介して空気中の残留水滴を切断し、空気中の大き目の水滴を微小な水滴に細断することができ、それにより、空気中の粉塵の捕捉に有益であり、空気の更なる浄化を実現する。第１回転ディスク３を通過した空気には、依然として一部の細かいな水滴が混ぜられ、遮断アセンブリは浄化アセンブリの下流に設けられ、気液分離効果を強化するために、遮断アセンブリを介して空気中の水滴をさらに遮断し、このように、遮断アセンブリは浄化効果を向上させる同時に空気中の水分含有量を減らすことができるため、空気中の過剰な水分含有量が下流の浄化構成要素に影響を与えることを防ぐことができる。
【００４６】
本発明の浄化装置１００は家庭用空気浄化の分野に使用されることができ、先行技術では、ほとんどの家庭用空気浄化装置１００は、ＨＥＰＡフィルタなどの濾過装置を備え、本発明の上記の浄化装置１００は、１μｍ以上の粒子状汚染物質および一部のガス状汚染物質を浄化させることができ、このように、後置濾過装置の負荷を大幅に減らすだけでなく、空気中の水分含有量を減らすことができ、それにより、ＨＥＰＡフィルタを水に浸した後の細菌の増殖を防ぎ、後置濾過装置の使用寿命および浄化効果を確保し、よりきれいな空気が排気口１２から排出されるようにする。
【００４７】
さらに、先行技術では、浄化装置１００は、空気に対して初歩的な浄化を実行するために、浄化アセンブリの下に回転ディスクを配置するが、本発明の浄化装置１００は、浄化アセンブリの下方に回転ディスクを配置する必要がないため、空気が回転ディスクを通過する回数が少なくなり、それにより、圧力損失を減らすことができ、空気の流れに有益である。
【００４８】
選択的に、噴水孔は、給水管４の側壁上に形成され、且つ給水管４の円周方向および半径方向に沿って均一に配置され、複数の噴水孔を通して水が給水管４から第１回転ドラム２に均一に噴霧されるようにすることができ、水を細断するのに有益であり、浄化効果を向上させる。もちろん、噴水孔は、給水管４上に均一に分布されなくてもよく、具体的には、実際のニーズに従って配置されることができる。さらに、第１回転ドラム２上の複数の第１メッシュ２１の配置位置は、給水管４上の噴水孔の位置に対応するため、噴水孔から噴霧された水を第１メッシュ２１に噴霧することができる。
【００４９】
本発明のいくつかの実施例において、モータ５は、浄化アセンブリと遮断アセンブリが同期回転するように駆動するために、即ち、遮断アセンブリの上に設けられ、第１回転ドラム２、第１回転ディスク３、第２回転ドラム６および第２回転ディスク７は、同じモータ５によって駆動されることができ、浄化装置１００の構造を簡素化するだけでなく、浄化装置１００をより一貫性のある安定なものにすることができる同時に、浄化装置１００の作業中に、大量な水蒸気と粉塵粒子が参与するため、モータ５を第２回転ディスク７の上に設置し、モータ５が水蒸気によって腐食され、粉塵粒子によって蓄積されるのを防ぐこともできる。遮断アセンブリおよび浄化アセンブリが複数である場合、複数の浄化アセンブリおよび遮断アセンブリは、同じモータ５によって駆動されてもよく、複数のモータ５によってそれぞれ駆動されてもよく、または各モータ５を介して少なくとも１つの遮断アセンブリおよび／または少なくとも１つの浄化アセンブリを回転させるように駆動してもよいことを理解することができ、本発明はこれらに限定されない。
【００５０】
本発明のいくつかの実施例において、給水管４の給水端４１はハウジング１の下部に位置し、排水端４２は給水端４１より高く配置され、このように、水は給水管４を沿って下から上に輸送されることができ、水が排水端４２から噴霧される時、第１回転ドラム２の側壁上により多く噴霧することができ、それにより、多くの水が第１間隔空間２３に分散されるため、浄化装置１００は、空気中の粉塵粒子をよりうまく遮断し、水による空気の浄化効果を向上させることができる。
【００５１】
本発明のいくつかの実施例において、第１回転ディスク３は環状ディスクに形成され、環状ディスクの内側側壁は、第１回転ドラム２の外側側壁と接続され、即ち、第１回転ディスク３は環状形状に形成されることができ、第１回転ディスク３は、第１回転ドラム２の外側をスリーブし、第１回転ディスク３の内側壁は第１回転ドラム２の外側壁に接続されて固定され、それにより、第１回転ドラム２と第１回転ディスク３の組み立てを実現して、浄化装置１００の構造を簡素化して組み立てを容易にいする。
【００５２】
選択的に、第１回転ディスク３と第１回転ドラム２は一体化に形成されることができ、第１回転ディスク３は、第１回転ドラム２の外壁面から半径方向のに沿って伸びることにより形成され、したがって、第１回転ディスク３と第１回転ドラム２の構造的安定性や構造的強度を増加させ、濾過装置１００の動作の信頼性を保証することができる。
【００５３】
本発明の別のいくつかの実施例において、第１回転ディスク３は円形ディスクに形成されることができ、例えば、第１回転ディスク３は薄くて軽い円形ディスク形状であってもよく、ここで、第１回転ドラム２は、上端が開放された中空構造に形成されることができ、２第１回転ディスク３は、第１回転ドラム２のの上端を閉鎖し、即ち、図６〜図７に示されたように、第１回転ディスク３の中間部分は閉鎖され、第２メッシュ３１は、ハウジング１と第２回転ドラム２の間に位置する第１回転ディスク３の部分上にのみ設けられ、第１回転ドラム２の頂部は開放され、第１回転ディスク３は、第１回転ドラム２の頂部を閉鎖するために、第１回転ドラム２の上に設けられ、ここで、第１回転ディスク３はリベットで第１回転ドラム２上に固定されることができ、溶接または他の手段で第１回転ドラム２に実装されることもでき、本発明はこれらに対して限定しない。
【００５４】
第１回転ディスク３および第２回転ディスク５の構造において、第１回転ディスク３および第２回転ディスク５はワイヤーメッシュ構造であってもよく、それにより、第１回転ディスク３および第２回転ディスク５の構造を簡素化し、製造および組立てるのに便利であり、气流に含まれた固体粒子などを分離させるために使用されることもでき、同時に、第２メッシュ３１および第３メッシュ７１の分布をより均一にし、液滴の遮断および空気の通過に有益である。もちろん、第１回転ディスク３および第２回転ディスク５は、図６および図７に示されたスポーク構造、プロファイルのターンテーブル構造などの他の構造形態であってもよいことを理解することができ、本発明はこれらに対して限定しない。
ここで、第２メッシュ３１および第３メッシュ７１の分布において、第１メッシュ３１は、第１回転ディスク３上に均一に分布されてもよく、不均一に分布されてもよく、第３メッシュ７１は、第２回転ディスク７上に均一に分布されてもよく、不均一に分布されてもよく、本発明はこれらに対して限定しない。第２メッシュ３１および第３メッシュ７１の分布状況は実際のニーズに従って決定することができる。第２メッシュ３１および第３メッシュ７１の形状において、第２メッシュ３１および第３メッシュ７１は円形穴であってもよく、他の規則的または不規則な形状を有する穴であってもよい。
【００５５】
図６に示された例において、第２メッシュ３１はロングストリップ形状に形成されることができ、複数のメッシュは散在し、且つ回転ディスクの円周方向に沿って間隔を置いて配置され、図７に示された例において、第２メッシュ３１は円弧状に形成されることができ、複数の第２メッシュ３１の円弧角度は同じであり、且つ第１回転ディスク３の円周方向に沿って均一に分布される。
【００５６】
本発明のいくつかの例において、第２回転ディスク７は円形ディスクに形成されてもよく、ここで、第２回転ディスク７上には第３メッシュ７１が均一に分布されてもよく、選択的に、第３メッシュ７１は第２回転ドラム６とハウジング１の間に位置する第２回転ディスク７の部分上にのみ設けられるなど、第２回転ディスク７上には、第３メッシュ７１が部分的に設けられてもよい。
【００５７】
本発明のいくつかの実施例において、第１回転ドラム２の上端および下端は閉鎖構造に形成され、即ち、第１回転ドラム２の頂部および底部は両方とも閉鎖し、それにより、第１回転ドラム２から水が漏れることによる他の構成要素への腐食を防ぐことができ、空気が第１回転ディスク３を経由せずに第１回転ドラム２の頂部から逃げるのを防ぐこともできる。図３に示されたように、第１回転ドラム２の底壁には、給水管４を通過するのに適した開口部２２が設けられ、給水管４の排水端４２は開口部２２を通して第１回転ドラム２内に伸びている。ここで、開口部２２のサイズは給水管４のサイズよりわずかに大きくすることができ、それにより、第１回転ドラム２と給水管４の相対回転に有益であり、給水管４と開口部２２の組み立てにも有益である。
【００５８】
本発明のいくつかの実施例において、空気浄化用の浄化装置１００は、さらに、受水トレイを備えることができ、受水トレイはハウジング１の底部に設けられ、給水端４１は受水トレイ内に位置するため、受水トレイを介して空気浄化後の水を収集することができる。
具体的に、空気中の大き目の水滴は高速で回転され、ハウジング１の内側壁に投げ出され、水滴はハウジング１の内側壁に沿って、受水トレイに向かって下向きに流れる。受水トレイ内の水は給水管４の水源となることができ、即ち、給水管４は受水トレイ内の水を水浄化アセンブリに噴霧することができ、それにより、水資源のリサイクルを実現することができ、またユーザが浄化装置１００内に水を頻繁に加える必要がないため、浄化装置１００の便利性が向上し、水資源も節約することもできる。もちろん、ユーザは受水トレイ内の水を定期的に置き換えることができるため、空気への浄化装置１００の浄化効果をさらに保証することができる。
【００５９】
ここで、受水トレイには排水口が設けられることができ、受水トレイ内の水は排水口を通して排出され、または、受水トレイは、ハウジング１内に取り外し可能に設けられることができるため、ユーザは受水トレイを直接に取り出して水を抜くことができ、本発明はこれらに対して限定しない。
本発明のいくつかの実施例において、図２に示されたように、ハウジング１は円筒形に形成され、ハウジング１の半径サイズはｒ１であり、第１回転ドラム２の半径サイズはｒ２であり、ここで、ｒ１およびｒ２は、０．２ｒ１＜ｒ２＜０．７ｒ１を満たし、即ち、第１回転ドラム２の半径サイズはハウジング１の半径サイズの０．２倍より大きく、且つハウジング１の半径サイズの０．７倍より小さく、それにより、第１回転ドラム２の回転速度を保証し、浄化効果を向上し、圧力損失を低下することもできる。具体的に、ｒ２のサイズが小さい過ぎると、同じ回転速度で駆動される第１回転ドラム２のドラム本体の速度が十分に大きくなれなない。ｒ２のサイズが大きく過ぎると、空気が通過する第１間隔空間２３の流通面積が小さすぎて、大きな圧力損失が発生する。好ましく、第１回転ドラム２の軸方向の高さがｈであり、ここで、ｒ１とｈは、０．１ｒ１＜ｈ＜０．８ｒ１を満たし、それにより、浄化アセンブリの浄化パフォーマンスをさらに最適化することができる。
【００６０】
本発明のいくつかの実施例において、第１回転ドラム２の側壁はワイヤーメッシュ構造に形成され、且つそのメッシュ数は２０〜１００であり、第１回転ドラム２に入った水がワイヤーメッシュ構造を通過する時、ワイヤーメッシュ構造は水を水滴、水柱または水ミストの形に容易に細断することができ、それにより、水への第１回転ドラム２の細断効果がより良好になる。ここで、第１回転ドラム２の材質において、第１回転ドラム２の材質は、ステンレス、銅、プラスチックなどであってもよい。第１回転ドラム２には複数の第１メッシュ２１が設けられ、第１メッシュ２１は、図２に示された円形状の開口部構造であってもよく、三角形や六角形などの他の開口部構造であってもよく、または異なる大きさで異なる形状を有する開口部構造であってもよく、本発明はこれらに対して限定しない。
【００６１】
本発明のいくつかの実施例において、第１回転ドラム２の側壁の孔隙率は０．３〜０．７であり、ここで、孔隙率とは、第１回転ドラム２の側壁の開口部面積と第１回転ドラム２の側壁の総面積の比率を指す。即ち、複数の第１メッシュ２１の開口部の総面積と第１回転ドラム２の側壁の総面積の比率が０．３〜０．７であり、それにより、浄化アセンブリの浄化効果をさらに向上させ、具体的に、孔隙率が低すぎると水が通過しづらくなり、第１回転ドラム２の内壁に水が溜まりやすく、通過後の水の分布が不均一になって、まばらで密集しているところもあれば、密集して吹き出されているところもある。孔隙率が高すぎると水が通過しやすく過ぎて、細断後の水滴のサイズが大きく、水滴面積と体積の比率が小さいため、空気浄化効率に影響を与える。
本発明のいくつかの実施例において、図５に示されたように、排気口１２は給気口１１より高く配置され、浄化アセンブリは複数の浄化アセンブリを備え、複数の浄化アセンブリは上下方向に順序に積み重ねられ、即ち、複数の浄化アセンブリは同軸に配置されることができ、且つそれらの全ては排気口１２と給気口１１の間に位置し、具体的に、第１回転ドラム２および第１回転ディスク３は複数で配置されてもよく、複数の第１回転ドラム２および第１回転ディスク３は相お互いに順序に配置されることができるため、空気は複数の浄化アセンブリを順序に通過することができ、それにより、浄化効果を向上させるために、空気への多段階浄化を実現することができる。
【００６２】
ここで、遮断アセンブリは最上部の浄化アセンブリの上端に設けられ、即ち、遮断アセンブリは複数の浄化アセンブリと排気口１２の間に設けられ、このように、空気は、複数の浄化アセンブリを通して浄化された後に、遮断アセンブリに流れ続け、遮断アセンブリを介して、複数の浄化アセンブリを経由して浄化された後の空気中に搬送された滴液を遮断することにより、きれいで水分含有量が低い空気を排気口１２に流すことができる。
本発明のいくつかの実施例において、図４に示されたように、遮断アセンブリも複数の遮断アセンブリを備え、複数の遮断アセンブリは上下方向に順序に積み重ねられ、複数の遮断アセンブリの全ては複数の浄化アセンブリの上に位置し、即ち、浄化アセンブリおよび遮断アセンブリは、両方とも複数であってもよく、複数の浄化アセンブリおよび複数の遮断アセンブリは同軸に配置され、空気は複数の浄化アセンブリを順序に経由した後、複数の遮断アセンブリに流れるため、多段階の浄化および多段階の遮断を実現することができる。
【００６３】
本発明のいくつかの例において、浄化アセンブリは１つのみであってもよく、１つの浄化アセンブリの上に複数の遮断アセンブリを順序に積み重ねて、空気が浄化アセンブリを経由した後、複数の遮断アセンブリに流れるようにし、複数の遮断アセンブリを介して空気中に搬送された滴液に対して多段階の遮断を実行することができ、それにより、きれいで水分含有量が低い空気を排気口１２に流すことができる。
【００６４】
図４に示された例において、遮断アセンブリは２つであり、浄化アセンブリは１つであり、２つの遮断アセンブリは、浄化アセンブリの上に設けられ、且つ上下方向に沿って順序に積み重ねられたため、空気が一段階の浄化を経過した後遮断アセンブリに流れ、遮断アセンブリを通して２段階に遮断された後排気口１２に流れる。
【００６５】
本発明の別のいくつかの実施例において、排気口１２は給気口１１より高く配置され、浄化アセンブリは複数の浄化アセンブリを備え、遮断アセンブリは複数の遮断アセンブリを備え、複数の遮断アセンブリおよび複数の浄化アセンブリは上下方向にお互いに積み重ねられる。即ち、遮断アセンブリおよび浄化アセンブリの全ては複数であってもよく、複数の遮断アセンブリおよび複数の浄化アセンブリは同軸に配置され、複数の遮断アセンブリおよび複数の浄化アセンブリを介して、空気の浄化効果を強化し、空気中の水滴の遮断効果を向上させることができる。
【００６６】
具体的に、複数の遮断アセンブリおよび浄化アセンブリが上下方向に積み重ねられる順序も様々であってもよく、例えば、複数の遮断アセンブリおよび浄化アセンブリは、上下方向に交お互いに配置されて、空気が一回階浄化された後遮断アセンブリを一回通過するようにし、即ち、空気が１つの浄化アセンブリによって浄化するたびに、１つの遮断アセンブリを介して空気に含まれた水滴を遮断することができるため、複数の遮断アセンブリおよび複数の浄化アセンブリが空気を繰り返して浄化し、空気中の水滴を繰り返して遮断することにより、浄化装置１００による空気の浄化効果を強化して、よりきれいな空気を排気口１２に流せることができる。
【００６７】
本発明の別のいくつかの例において、隣接する浄化アセンブリ間には、２つまたは２つ以上の遮断アセンブリが配置されてもよく、または、隣接する遮断アセンブリ間には、２つまたは２つ以上の浄化アセンブリが配置される。このように、空気は、浄化を多段階で経過した後、遮断アセンブリを介して水滴を一段階遮断してもよく、浄化を一段階行った後、多段階の遮断アセンブリを介して水滴を複数回遮断してもよい。浄化アセンブリおよび遮断アセンブリの上下方向の積層順序は様々な順序であってもよく、具体的には実際の状況に従って設定され、本発明はこれらに対して特に限定しない。
【００６８】
ここで、少なくとも１つの遮断アセンブリは、排気口１２に最も近い位置に位置し、即ち、空気の流れ方向では、複数の遮断アセンブリのうちの少なくとも１つが最下流に位置し、したがって、空気が少なくとも１つの遮断アセンブリを経由することを保証し、空気が排気口１２に流れる前に、必ず少なくとも１つの遮断アセンブリを経由してそれに含まれた水滴を遮断させることができる。このように、遮断アセンブリは空気中の水滴を遮断した後、水分含有量が低くてきれいな空気を排気口１２に流すことができ、それにより、空気に対する更なる浄化を実現することができる同時に、下流の部品を水蒸気による腐食から保護することができ、下流の部品の使用寿命を伸ばす。
【００６９】
本発明のいくつかの実施例において、給水管４は、複数の浄化アセンブリを順序に通過し、給水管４には、複数の第１回転ドラム２に対応する噴水孔が設けられている。具体的に、図５に示されたように、給水管４はは複数のセクションを含み得、給水管４の各セクションは、第１回転ドラム２に対応して配置された複数の噴水孔を備え、即ち、給水管４の各セクションは１つの第１回転ドラム２に対応し、給水管４の各セクションには、その円周方向に沿って分布された複数の噴水孔が設けられ、給水管４内に入った水は、噴水孔を通過して、対応する第１回転ドラム２内に噴霧される。このように、１つの給水管４を配置することにより、水を複数の第１回転ドラム２内に噴霧することができ、構造が簡単で組み立てるのにも便利であり、第１回転ドラム２は高速で回転して水を細断することができ、水は複数の第１メッシュ２１によって細断された後第１間隔空間２３に流れる。
【００７０】
もちろん、複数の給水管４が設けられることもでき、複数の給水管４の排水端４２は、それぞれ、複数の浄化アセンブリの第１回転ドラム２内に伸びていて、即ち、複数の給水管４は、それぞれ、複数の浄化アセンブリに対応して配置され、各給水管４の排水端４２は、それぞれ、対応する第１回転ドラム２内に伸びているため、給水管４を介して第１回転ドラム２への水噴霧を容易にし、複数の給水管４を配置することにより、第１回転ドラム２の水噴霧の均一性を保証することもできる。
【００７１】
図５に示された例において、浄化装置１００は２つの浄化アセンブリおよび１つの遮断アセンブリを備え、遮断アセンブリは最下流に設けられ、２つの遮断アセンブリは、遮断アセンブリの下に位置し、遮断アセンブリと同軸に配置され、給水管４は、２つの浄化アセンブリにそれぞれ水を噴霧するために、２つの浄化アセンブリを順次に通過する。
【００７２】
本発明は、上記の実施例の空気浄化用の浄化装置１００を備える空気浄化器をさらに提供する。
【００７３】
本発明の実施例に係る空気浄化器は、上記の実施例の空気浄化用の浄化装置１００を配置することにより、浄化効果を向上し、空気浄化器によって浄化された空気がよりきれいにすることができる。
【００７４】
本発明の実施例に係る空気浄化器の他の構成および操作は、当業者に知られており、本明細書では詳細に説明しない。
【００７５】
本明細書の説明において、「いくつかの実施例」、「いくつかの例」または「選択的に」などの用語に関する説明は、当該実施例または例を参照して説明された具体的な特徴、構造、材質または特性が本発明の少なくとも１つの実施例または例に含まれることを意味する。本明細書では、上記の用語の例示的な表現は、必ず同じ実施例または例を指すとは限らない。さらに、説明された具体的な特徴、構造、材料または特性は、任意の１つまたは複数の実施例または例を適切な方式で組み合わせることができる。
【００７６】
本発明の実施例が開示および説明されているが、当業者は、本発明の原理および目的から逸脱することなく、これらの実施例に対して様々な変更、修正、置換および変形を行うことができることを理解することができ、本発明の保護範囲は、特許請求の範囲およびそれらの同等物によって限定される。
【符号の説明】
【００７７】
１００  空気浄化用の浄化装置
１  ハウジング
１０  キャビティ
１１  給気口
１２  排気口
２  第１回転ドラム
２１  第１メッシュ
２２  開口部
２３  第１間隔空間
３  第１回転ディスク
３１  第２メッシュ
４  給水管
４１  給水端
４２  排水端
５  モータ
６  第２回転ドラム
６１  第２間隔空間
７  第２回転ディスク
７１  第３メッシュ
【図１】
2021529931.tif 000003
【図２】
2021529931.tif 000004
【図３】
2021529931.tif 000005
【図４】
2021529931.tif 000006
【図５】
2021529931.tif 000007
【図６】
2021529931.tif 000008
【図７】
2021529931.tif 000009
【国際調査報告】
2021529931.tif 000010
2021529931.tif 000011
2021529931.tif 000012
2021529931.tif 000013